(57)【特許請求の範囲】
【請求項１】
光学系から入射した光を電気信号に変換して撮像信号として出力する撮像素子と、
前記撮像信号からホワイトバランス評価値を抽出する評価値取得手段と、
前記撮像信号を格子状のブロックに分割する分割手段とを備えた撮像装置において、
前記格子状のブロックは、互いに隣接しない取得ブロックと、補間ブロックとからなり、
前記取得ブロック及び前記補間ブロックは、注目画素と非注目画素とを有し、
前記注目画素に設定するホワイトバランス用の第１補正係数を取得する第１補正係数取得手段と、
前記非注目画素に設定するホワイトバランス用の第２補正係数を取得する第２補正係数取得手段と、
前記注目画素に対して前記第１補正係数に基づきホワイトバランス補正を施し、前記非注目画素に対して前記第２補正係数に基づきホワイトバランス補正を施すホワイトバランス補正手段とを備え、
前記第１補正係数取得手段は、
前記取得ブロックの第１補正係数を、前記ホワイトバランス評価値に基づき取得し、
前記補間ブロックの第１補正係数を、当該補間ブロックに隣接する取得ブロックの第１補正係数に基づき取得し、
前記第２補正係数取得手段は、前記第２補正係数を、当該第２補正係数を取得する非注目画素と周辺の注目画素との距離による補間、及び当該周辺の注目画素の第１補正係数に基づき取得することを特徴とする撮像装置。
【請求項２】
前記注目画素は、２以上の画素からなることを特徴とする請求項１に記載の撮像装置。
【請求項３】
前記第２補正係数取得手段は、前記周辺の注目画素が１つの場合は当該注目画素の補正係数を前記第２補正係数として取得することを特徴とする請求項１または２記載の撮像装置。
【請求項４】
前記分割手段は、ズーム位置によって分割ブロック数を切り替えることを特徴とする請求項１乃至３のいずれか１に記載の撮像装置。
【請求項５】
前記分割手段は、ズーム倍率が大きくなるほど前記分割ブロック数を減らすことを特徴とする請求項４記載の撮像装置。
【請求項６】
前記周辺の注目画素と前記第２補正係数を取得する非注目画素とを結ぶ線分は、全ての注目画素同士を格子状に結ぶ線分と交差しないことを特徴とする請求項１乃至５のいずれか１に記載の撮像装置。
但し、前記注目画素と非注目画素を結ぶ線分は、１のブロックの対角線の線分の長さ以下である。
【請求項７】
前記周辺の注目画素は、前記非注目画素が、全ての注目画素同士を格子状に結ぶ線分のうちのいずれか１の線上に存在する場合は、当該線分及び前記注目画素同士を結ぶ線分によって構成される四角形のうち、最小の四角形を構成する４の注目画素であることを特徴とする請求項１乃至６のいずれか１に記載の撮像装置。
【請求項８】
前記周辺の注目画素は、前記非注目画素が、全ての注目画素同士を格子状に結ぶ線分のうちのいずれか１の線上に存在する場合は、該線分の両端に配置された２の注目画素であることを特徴とする請求項１乃至６のいずれか１に記載の撮像装置。
【請求項９】
光学系から入射した光を電気信号に変換して撮像信号として出力する撮像素子と、
前記撮像信号からホワイトバランス評価値を抽出する評価値取得手段と、
前記撮像信号を格子状のブロックに分割する分割手段とを備えた撮像装置の撮像方法において、
前記格子状のブロックは、互いに隣接しない取得ブロックと補間ブロックとからなり、
前記取得ブロック及び前記補間ブロックは、注目画素と非注目画素とを有し、
前記注目画素に設定するホワイトバランス用の第１補正係数を取得する第１補正係数取得工程と、
次いで、前記非注目画素に設定するホワイトバランス用の第２補正係数を取得する第２補正係数取得工程と、
前記注目画素に対して前記第１補正係数に基づきホワイトバランス補正を施し、前記非注目画素に対して前記第２補正係数に基づきホワイトバランス補正を施すホワイトバランス補正工程とを備え、
前記第１補正係数取得工程は、
前記取得ブロックの第１補正係数を、前記ホワイトバランス評価値に基づき取得し、
次いで、前記補間ブロックの第１補正係数を、当該補間ブロックに隣接する取得ブロックの第１補正係数に基づき取得し、
前記第２補正係数取得工程は、前記第２補正係数を、当該第２補正係数を取得する非注目画素と周辺の注目画素との距離による補間、及び当該周辺の注目画素の第１補正係数に基づき取得することを特徴とする撮像方法。
【発明の詳細な説明】
【技術分野】
【０００１】
本発明は、ホワイトバランス補正手段を備えた撮像装置及び撮像方法に関するものである。
【背景技術】
【０００２】
従来、デジタルカメラ等の撮像装置において、撮像した画像に対するホワイトバランス補正は画面全体に同一のホワイトバランス補正量を設定する方法が用いられてきた。しかし、上記方法を用いた場合、均一光源であれば光源を推定し画面全体に同じホワイトバランス補正を施すことができるが、画面内に異なる種類の光源の照射エリアが存在する場合、画面全体に適切となるホワイトバランス補正を施すことは難しい。これを解決するために、画面全体を小領域に分割し、小領域（エリア）毎にホワイトバランス補正を施すことで画面全体における色ずれ生じさせない方法が広く用いられている。（例えば特許文献１）
【０００３】
しかしながら、特許文献１のようにエリア毎に異なる補正量によるホワイトバランスを施す方法においては、互いに隣接するエリア同士の境界部分に色調の違い（色ずれ）が不可避的に生じ、結果的に画質が低下するという問題があった。
【０００４】
このエリア境界での色ずれを解決するため、画素毎にホワイトバランス補正を施すことで前記エリア境界での色ずれを抑制する方法がある。（例えば特許文献２）
【０００５】
しかし、上記方法だと、全てのエリアにおいてホワイトバランス評価の結果から補正係数を算出する必要があり、計算量が多くなるため撮影にかかる時間が長くなるという問題がある。また、画素単位で補正係数を算出する際、周辺の注目画素４つを満たさない場合の補正方法について記載が無く、実装するにあたって検討の必要があるという問題がある。
【０００６】
【特許文献１】特開２００２−２７１６３８号公報
【特許文献２】特開２００５−３４７８１１号公報
【発明の開示】
【発明が解決しようとする課題】
【０００７】
本発明は、以上の従来技術における問題に鑑みてなされたものであり、画像全体における色ずれが生じず、撮影に時間を要しないホワイトバランス補正手段を備えた撮像装置及び撮像方法を提供することを目的とする。
【課題を解決するための手段】
【０００８】
本発明者らは上記課題を解決するために鋭意検討を重ねた結果、少なくとも、本発明に係る撮像装置及び撮像方法は、具体的には下記（１）〜（１０）に記載の技術的特徴を有することで上記課題が解決されることを見出し、本発明を完成するに至った。
【００１０】
（１）：光学系から入射した光を電気信号に変換して撮像信号として出力する撮像素子と、前記撮像信号からホワイトバランス評価値を抽出する評価値取得手段と、前記撮像信号を格子状のブロックに分割する分割手段とを備えた撮像装置において、前記格子状のブロックは、互いに隣接しない取得ブロックと、補間ブロックとからなり、前記取得ブロック及び前記補間ブロックは、注目画素と非注目画素とを有し、前記注目画素に設定するホワイトバランス用の第１補正係数を取得する第１補正係数取得手段と、前記非注目画素に設定するホワイトバランス用の第２補正係数を取得する第２補正係数取得手段と、前記注目画素に対して前記第１補正係数に基づきホワイトバランス補正を施し、前記非注目画素に対して前記第２補正係数に基づきホワイトバランス補正を施すホワイトバランス補正手段とを備え、前記第１補正係数取得手段は、前記取得ブロックの第１補正係数を、前記ホワイトバランス評価値に基づき取得し、前記補間ブロックの第１補正係数を、当該補間ブロックに隣接する取得ブロックの第１補正係数に基づき取得し、前記第２補正係数取得手段は、前記第２補正係数を、当該第２補正係数を取得する非注目画素と周辺の注目画素との距離による補間、及び当該周辺の注目画素の第１補正係数に基づき取得することを特徴とする撮像装置である。
【００１１】
（２）：前記注目画素は、２以上の画素からなることを特徴とする上記（１）に記載の撮像装置である。
【００１２】
（３）：前記第２補正係数取得手段は、前記周辺の注目画素が１つの場合は当該注目画素の補正係数を前記第２補正係数として取得することを特徴とする上記（１）または（２）に記載の撮像装置である。
【００１４】
（４）：前記分割手段は、ズーム位置によって分割ブロック数を切り替えることを特徴とする上記（１）乃至（３）のいずれか１に記載の撮像装置である。
（５）：前記分割手段は、ズーム倍率が大きくなるほど前記分割ブロック数を減らすことを特徴とする上記（４）記載の撮像装置である。
【００１５】
（６）：前記周辺の注目画素と前記第２補正係数を取得する非注目画素とを結ぶ線分は、全ての注目画素同士を格子状に結ぶ線分と交差しないことを特徴とする上記（１）乃至（６）のいずれか１に記載の撮像装置。
但し、前記注目画素と非注目画素を結ぶ線分は、１のブロックの対角線の線分の長さ以下である。
【００１６】
（７）：前記周辺の注目画素は、前記非注目画素が、全ての注目画素同士を格子状に結ぶ線分のうちのいずれか１の線上に存在する場合は、当該線分及び前記注目画素同士を結ぶ線分によって構成される四角形のうち、最小の四角形を構成する４の注目画素であることを特徴とする上記（１）乃至（６）のいずれか１に記載の撮像装置である。
【００１７】
（８）：前記周辺の注目画素は、前記非注目画素が、全ての注目画素同士を格子状に結ぶ線分のうちのいずれか１の線上に存在する場合は、該線分の両端に配置された２の注目画素であることを特徴とする上記（１）乃至（７）のいずれか１に記載の撮像装置である。
【００１９】
（９）：光学系から入射した光を電気信号に変換して撮像信号として出力する撮像素子と、前記撮像信号からホワイトバランス評価値を抽出する評価値取得手段と、前記撮像信号を格子状のブロックに分割する分割手段とを備えた撮像装置の撮像方法において、前記格子状のブロックは、互いに隣接しない取得ブロックと補間ブロックとからなり、前記取得ブロック及び前記補間ブロックは、注目画素と非注目画素とを有し、前記注目画素に設定するホワイトバランス用の第１補正係数を取得する第１補正係数取得工程と、次いで、前記非注目画素に設定するホワイトバランス用の第２補正係数を取得する第２補正係数取得工程と、前記注目画素に対して前記第１補正係数に基づきホワイトバランス補正を施し、前記非注目画素に対して前記第２補正係数に基づきホワイトバランス補正を施すホワイトバランス補正工程とを備え、前記第１補正係数取得工程は、前記取得ブロックの第１補正係数を、前記ホワイトバランス評価値に基づき取得し、次いで、前記補間ブロックの第１補正係数を、当該補間ブロックに隣接する取得ブロックの第１補正係数に基づき取得し、前記第２補正係数取得工程は、前記第２補正係数を、当該第２補正係数を取得する非注目画素と周辺の注目画素との距離による補間、及び当該周辺の注目画素の第１補正係数に基づき取得することを特徴とする撮像方法である。
【発明の効果】
【００２０】
本発明によれば、画像全体における色ずれが生じず、撮影に時間を要しないホワイトバランス補正手段を備えた撮像装置及び撮像方法を提供することができる。
【発明を実施するための最良の形態】
【００２１】
本発明の撮像装置に関して以下に説明する。
なお、以下に述べる実施の形態は本発明の好適な実施の形態であるから、技術的に好ましい種々の限定が付されているが、本発明の範囲は以下の説明において特に本発明を限定する旨の記載がない限りこれらの態様に限られるものではない。
【００２２】
本発明の撮像装置は、光学系から入射した光を電気信号に変換して撮像信号として出力する撮像素子と、前記撮像信号からホワイトバランス評価値を抽出する評価値取得手段と、前記撮像信号を格子状のブロックに分割する分割手段とを備えた撮像装置において、当該格子状のブロックに分割された撮像信号は、注目画素と非注目画素とを有し、前記注目画素は、２以上の画素からなり、前記注目画素に設定するホワイトバランス用の第１補正係数を取得する第１補正係数取得手段と、前記非注目画素に設定するホワイトバランス用の第２補正係数を取得する第２補正係数取得手段と、前記注目画素に対して前記第１補正係数に基づきホワイトバランス補正を施し、前記非注目画素に対して前記第２補正係数に基づきホワイトバランス補正を施すホワイトバランス補正手段とを備え、前記第１補正係数取得手段は、前記第１補正係数を、前記ホワイトバランス評価値に基づき取得し、前記第２補正係数取得手段は、前記第２補正係数を、当該第２補正係数を取得する非注目画素と周辺の注目画素との距離による補間、及び当該周辺の注目画素の第１補正係数に基づき取得することを特徴とする。
【００２３】
また、本発明の撮像装置は、光学系から入射した光を電気信号に変換して撮像信号として出力する撮像素子と、前記撮像信号からホワイトバランス評価値を抽出する評価値取得手段と、前記撮像信号を格子状のブロックに分割する分割手段とを備えた撮像装置において、前記格子状のブロックは、互いに隣接しない取得ブロックと、補間ブロックとからなり、前記取得ブロック及び前記補間ブロックは、注目画素と非注目画素とを有し、前記注目画素に設定するホワイトバランス用の第１補正係数を取得する第１補正係数取得手段と、前記非注目画素に設定するホワイトバランス用の第２補正係数を取得する第２補正係数取得手段と、前記注目画素に対して前記第１補正係数に基づきホワイトバランス補正を施し、前記非注目画素に対して前記第２補正係数に基づきホワイトバランス補正を施すホワイトバランス補正手段とを備え、前記第１補正係数取得手段は、前記取得ブロックの第１補正係数を、前記ホワイトバランス評価値に基づき取得し、前記補間ブロックの第１補正係数を、当該補間ブロックに隣接する取得ブロックの第１補正係数に基づき取得し、前記第２補正係数取得手段は、前記第２補正係数を、当該第２補正係数を取得する非注目画素と周辺の注目画素との距離による補間、及び当該周辺の注目画素の第１補正係数に基づき取得することを特徴とする。
【００２４】
（注目画素）
本発明における注目画素とは、ブロック中の任意の点であって良いが、ブロックの中心の１または２以上の画素であることが好ましい。
【００２５】
（周辺の注目画素）
また、本発明における周辺の注目画素とは、周辺の注目画素と第２補正係数を取得する非注目画素とを結ぶ線分が、全ての注目画素同士を格子状に結ぶ線分と交差しないような注目画素のことを言う。
但し、注目画素と非注目画素を結ぶ線分は、１のブロックの対角線の線分の長さ以下である。
【００２６】
また、周辺の注目画素は、非注目画素が、全ての注目画素同士を格子状に結ぶ線分のうちのいずれか１の線上に存在する場合は、当該線分及び注目画素同士を結ぶ線分によって構成される四角形のうち、最小の四角形を構成する４の注目画素であることが好ましい。
【００２７】
また一方、周辺の注目画素は、非注目画素が、全ての注目画素同士を格子状に結ぶ線分のうちのいずれか１の線上に存在する場合は、該線分の両端に配置された２の注目画素であっても良い。
【００２８】
（第１の実施の形態）
次に図面を用いて本発明に係る撮像装置の基本的な構成についてさらに詳細に説明する。
図１は、本発明に係る撮像装置の第１の実施の形態における構成を示すブロック図である。
図１のレンズを介してＣＣＤ受光面で露光されたデータは電気信号に変換されアナログ画像信号としてＣＣＤより出力される。出力されたアナログ画像信号は、ＣＤＳ，ＡＧＣ，Ａ／Ｄで構成されるＦ／Ｅ（フロントエンド）でデジタル信号に変換される。ＣＤＳではＣＣＤからの出力から有効なアナログ画像信号のみが取り出される。ＡＧＣ（アナログゲインコントローラ）ではこのアナログ画像信号の増幅を行う。そしてＡ／Ｄではアナログ画像信号をデジタルに変換している。これらのタイミングはタイミング信号発生器（ＴＧ）のタイミング信号によって同期が取られている。
【００２９】
Ｆ／Ｅから入力されたデジタルデータは、画像蓄積部でありフレームメモリであるＳＤＲＡＭに一時保管される。
【００３０】
画像処理装置であるＹＵＶ変換部は、画像処理部、表示制御部、データ圧縮部、データ伸張部から構成されている。画像処理部は、制御部から設定された画像処理パラメータに基づき、ＳＤＲＡＭに一時保管されたデータを処理して、ＳＤＲＡＭに出力する。表示制御部はＳＤＲＡＭに書き込まれたデータを表示部におくり、撮影画像の表示を行う。データ圧縮部はＳＤＲＡＭに書き込まれたデータを圧縮し、処理結果をメモリカード等の記憶部に出力する。
【００３１】
制御部は、図示しないＣＰＵ、ＲＯＭ、ＲＡＭ等からなるマイクロコンピュータ（以下マイコン）であり、このＣＰＵは、ＲＯＭに格納されたプログラムに従ってＲＡＭを作業領域として使用して、キー操作部からの指示、或は図示しないリモコン等の外部動作指示、或はパーソナルコンピュータ等の外部端末からの通信による通信動作指示に従い、上記撮像装置の全動作を制御する。具体的には、制御部は、撮像動作制御、画像処理装置における画像処理パラメータの設定、メモリコントロール、表示制御を行う。
【００３２】
キー操作部は、撮像装置の動作指示を行うためのものであり、撮影を指示するレリーズキー、光学ズーム及び電子ズーム、その他の各種設定を外部から行うためのボタンを備えている。
【００３３】
次にＡＷＢ制御の基本動作を簡単に説明する。レンズを介した被写体像は、ＣＣＤに入射し、ＣＣＤは、被写体像を電気信号（アナログ画像データ）に変換して、Ｒ、Ｇ、Ｂのアナログ画像データを出力する。このアナログ画像データはＡ／Ｄ変換器によってＲ，Ｇ，Ｂのデジタル画像信号に変換される。変換されたデジタル画像データはフレームメモリに保管される。
【００３４】
信号処理ＩＣはデジタル画像データを取り込む際にＣＣＤ−Ｉ／Ｆで特定部分、又は画面全体のＲ，Ｇ，Ｂの積算値を読み出す。制御部であるマイコンは、このＲＧＢ積算値を読みだし、特徴検出を行い適正なホワイトバランス（以下、ＷＢとも称する）になるようなＷＢのゲインＲｇとＢｇ（特徴データ）を算出してマイコンに送信する。画像処理装置であるＹＵＶ変換部では、Ｒ，Ｇ，Ｂデータを輝度Ｙと色差Ｃｂ、Ｃｒデータに変換してＳＤＲＡＭに出力する。この画像変換をする際に、マイコンから画像処理装置に対して、ＷＢゲインＲｇ、Ｂｇを設定する。
【００３５】
ＳＤＲＡＭに蓄積されたデータは、画像処理装置内のデータ圧縮部に読み込まれ、例えばＪＰＥＧ圧縮により圧縮される。圧縮されたデータはメモリカード等の外部記録装置に記録される。
【００３６】
次に、本発明に係る撮像装置の第１の実施の形態における特徴となるホワイトバランス補正手段の構成を説明するために、先ず従来の撮像装置における構成について述べる。
図２は撮像信号が格子状のブロックに分割された模式図である。
従来の撮像装置では、図に示すようなブロック毎に取得したＲＧＢ積算値から、１つまたは複数のブロックのＲＧＢ積算値を組み合わせて補正係数を取得する。
【００３７】
図２における注目画素１０ように各ブロックの中央を注目画素とし、各ブロックで取得した補正係数Ｒgain、Ｂgainをそれぞれの注目画素に設定する。
非注目画素は当該非注目画素が存在するブロックが有する注目画素と周辺の注目画素に設定されている補正係数と当該画素からの距離による補間によって求める。
【００３８】
図３は非注目画素と注目画素との位置関係を示す模式図である。
図３において、格子状のブロックに分割された撮像信号は、補正係数の算出対象とする非注目画素１１と、その周辺の注目画素の第１補正係数Ｒ０（左上に配置された注目画素における第１補正係数）、Ｒ１（右上に配置された注目画素における第１補正係数）、Ｒ２（左下に配置された注目画素における第１補正係数）、Ｒ３（右下に配置された注目画素における第１補正係数）とを有する。ここで、Ｒ１−Ｒ３間距離を１として正規化し補正係数の算出対象となる非注目画素の位置をｘ、ｙで表し、Ｒ０を原点としてＲ０からＲ１方向をｘ方向、Ｒ０からＲ２方向をｙ方向として、以下の式（１）及び式（２）によって第２補正係数を算出する。
【００３９】
Ｒgain＝（１−ｘ）（１−ｙ）Ｒ０＋ｘ（１−ｙ）Ｒ１＋（１−ｘ）ｙＲ２＋ｘｙＲ３
式（１）
Ｂgain＝（１−ｘ）（１−ｙ）Ｂ０＋ｘ（１−ｙ）Ｂ１＋（１−ｘ）ｙＢ２＋ｘｙＢ３
式（２）
【００４０】
一方、本発明に係る撮像装置の第１の実施の形態におけるホワイトバランス補正手段の構成については以下に詳述する。
図４は本発明に係る撮像装置の第１の実施の形態における撮像信号が格子状のブロックに分割された模式図である。
本実施の形態では、２画素以上からなる注目画素１７である面に対してブロック毎に取得した補正係数をそれぞれ設定する。
注目画素１７以外の画素は周辺の各ブロックが有する面に設定されているゲイン（第１補正係数）と当該画素と面からの距離による補間によって第２補正係数を求める。具体的には上記式（１）及び（２）を用いて第２補正係数を算出する。
【００４１】
上記構成以外は、公知の従来技術と同様の構成を用いることができる。
また、上記構成によりブロック内での補正係数差による色の差を見えにくくすることが可能となる。
【００４２】
（第２の実施の形態）
図５は本発明に係る撮像装置の第２の実施の形態における撮像信号が格子状のブロックに分割された模式図である。
本実施の形態では、非注目画素が領域１２に存在し、周辺の注目画素が１つしか存在しない場合は、当該非注目画素を有するブロックの第１補正係数を非注目画素における第２補正係数として設定する。
また、上記構成以外は、第１の実施の形態と同様の構成である。
上記構成によれば領域１２においては補間処理を必要としない為、補正係数算出にかかる処理時間を削減することができる。
【００４３】
（第３の実施の形態）
図６は本発明に係る撮像装置の第３の実施の形態における撮像信号が格子状のブロックに分割された模式図である。
本実施の形態では、非注目画素が領域１３、１４、１５、１６に存在し、周辺の注目画素が２つしか存在しない場合は、当該２つの第１補正係数と当該非注目画素からの距離による補間によって非注目画素における第２補正係数を求める。この計算は下記式（３）〜（１０）を用いて行う。
また、上記構成以外は、第２の実施の形態と同様の構成である。
【００４４】
領域１３の場合
Ｒgain＝（１−ｘ）Ｒ２＋ｘＲ３                                        式（３）
Ｂgain＝（１−ｘ）Ｂ２＋ｘＢ３                                        式（４）
【００４５】
領域１４の場合
Ｒgain＝（１−ｘ）Ｒ０＋ｘＲ１                                        式（５）
Ｂgain＝（１−ｘ）Ｂ０＋ｘＢ１                                        式（６）
【００４６】
領域１５の場合
Ｒgain＝（１−ｙ）Ｒ１＋ｙＲ３                                        式（７）
Ｂgain＝（１−ｙ）Ｂ１＋ｙＢ３                                        式（８）
【００４７】
領域１６の場合
Ｒgain＝（１−ｙ）Ｒ０＋ｙＲ２                                        式（９）
Ｂgain＝（１−ｙ）Ｂ０＋ｙＢ２                                        式（１０）
【００４８】
これにより、画素間の補正係数にローパスフィルタがかかる為、複数の光源が混在する画像に於いて光源の境界で不自然なＷＢが掛かることを回避することができる。
【００４９】
（第４の実施の形態）
図７は本発明に係る撮像装置の第４の実施の形態における撮像信号が格子状のブロックに分割された模式図である。
本実施の形態では、撮影状況によってブロック分割数を変更する。
例えば、水平方向で離間するブロックの輝度が大きく異なる場合、もしくは水平方向で離間するブロックのＧ／Ｒ、Ｂ／Ｇが大きく異なる場合に、図７のようにブロック分割時に水平方向のブロック数を垂直方向のブロック数の半分にする。
【００５０】
各ブロックの輝度、Ｇ／Ｒ、Ｇ／Ｂは図１のＣＣＤ−Ｉ／Ｆ内のＣＣＤから出力されるＲＧＢを積算する回路の出力値から計算によって求める。
ここで、ブロックの中心画素を注目画素として第１補正係数を設定する。ブロック毎の第１補正係数は個別ではなく領域１８のように２個単位で設定する。
ブロック内での非注目画素の第２補正係数は、当該ブロックの注目画素と周辺の注目画素に設定されている第１補正係数と当該非注目画素からの距離による補間によって求める。
これにより、水平方向の補正係数設定間隔の分解能を高めることができ、離間する水平方向のブロックで光源の切り替わりが多い画像にて、最適なＷＢを掛けることができる。
【００５１】
図７では垂直方向のブロック数を水平方向のブロック数の半分にしたが、水平方向のブロック数を垂直方向のブロック数の半分にして垂直方向での補正係数設定間隔の分解能を高めることが可能となる。
尚、上記構成以外は、第３の実施の形態と同様の構成である。
【００５２】
（第５の実施の形態）
第５の実施の形態では、撮影状況によって補正係数の設定方法を変更する。
例えば、モニタリング時には解像度の低い表示デバイスでの表示となり細かい部分での描写が不必要であるため水平垂直ブロック分割数を半分にする方法が考えられる。
尚、上記構成以外は、第３の実施の形態と同様の構成である。
【００５３】
（第６の実施の形態）
図８は本発明に係る撮像装置の第６の実施の形態における撮像信号が格子状のブロックに分割された模式図である。
本発明では、分割されたブロック全てからは第１補正係数を取得しなくても良く、図８の領域１９で示されたような一部のブロックからのみ第１補正係数を取得しても良い。本実施の形態では、一つおきに第１補正係数を取得し（取得ブロック１９）、注目画素へ補正係数を設定する。第１補正係数を取得しなかったブロックの注目画素は周辺ブロック（補間ブロック）の第１補正係数との平均値を用いて第１補正係数を算出して設定する方法が好ましいが、その他の算出方法であっても良い。
【００５４】
これによりリアルタイムで補正係数の切り替えが必要なモニタリング処理においても補正係数算出にかかる処理時間を削減することができフレームレートを落とすことなくＷＢ処理後の映像を表示することができる。
【００５５】
その他にもズーム倍率に応じて水平垂直ブロック分割数を減らしていく方法がある。一般にテレ端にいくほど絵柄が大きくなり、異なる光源が複数照射される画像となりにくいため分割数を減らしてある程度大きなブロック単位で補正係数を設定することで小領域間での色の差を見えにくくするといった効果がある。
【００５６】
上記本発明に係る撮像装置の第１〜第６の実施の形態によれば、画像全体における色ずれが生じず、撮影に時間を要さない撮影が可能となる。
【図面の簡単な説明】
【００５７】
【図１】本発明に係る撮像装置の第１の実施の形態における構成を示すブロック図である。
【図２】撮像信号が格子状のブロックに分割された模式図である。
【図３】非注目画素と注目画素との位置関係を示す模式図である。
【図４】本発明に係る撮像装置の第１の実施の形態における撮像信号が格子状のブロックに分割された模式図である。
【図５】本発明に係る撮像装置の第２の実施の形態における撮像信号が格子状のブロックに分割された模式図である。
【図６】本発明に係る撮像装置の第３の実施の形態における撮像信号が格子状のブロックに分割された模式図である。
【図７】本発明に係る撮像装置の第４の実施の形態における撮像信号が格子状のブロックに分割された模式図である。
【図８】本発明に係る撮像装置の第６の実施の形態における撮像信号が格子状のブロックに分割された模式図である。
【符号の説明】
【００５８】
１０  注目画素
１１  非注目画素
１２、１３、１４、１５、１６、１７、１８  領域
１９  取得ブロック
【図１】
0005095294.tif 000002
【図２】
0005095294.tif 000003
【図３】
0005095294.tif 000004
【図４】
0005095294.tif 000005
【図５】
0005095294.tif 000006
【図６】
0005095294.tif 000007
【図７】
0005095294.tif 000008
【図８】
0005095294.tif 000009